(57)【要約】【課題】切断屑がプリンタ内に溢れることでプリント動作に支障をきたす不都合を未然に防止する。【解決手段】プリンタにカッタが内蔵されている。カッタは、画像記録後に記録紙の前後端余白を切断し、切断した屑片をプリンタ内に配した容器１６に貯める。記録紙は、マガジン１８にセットして装填室１９に装填する。装填室１９は、取っ手１７に手を掛けて装填蓋１１を引き出すことで露呈する。装填蓋１１に容器１６を一体的に取り付ける。記録紙を交換するときに、装填蓋１１を引き出すと、自動的に容器１６が引き出され、容器１６の内部が外部に露呈する。【選択図】        図２
2004338141.tif 000002
【特許請求の範囲】
【請求項１】
記録紙の一部を切断するカッタと、前記カッタの切断により生じる屑を収容する容器とを内蔵したカッタ付きプリンタにおいて、
前記記録紙又は記録紙を収納するマガジンを装填するときに開閉する装填蓋と、前記切屑を受ける位置と一部が外部に露呈する位置との間で移動自在に設けた容器とを一体的に取り付けたことを特徴とするカッタ付きプリンタ。
【発明の詳細な説明】
【０００１】
【発明の属する技術分野】
本発明は、記録紙の一部を切断するカッタ付きプリンタに関するものであり、更に詳しくは、切断された切屑を収容する収納部を備えたプリンタに関するものである。
【０００２】
【従来の技術】
サーマルヘッドによりカラー感熱記録紙を加熱して３色面順次でフルカラー画像を記録するカラー感熱プリンタが知られている。カラー感熱プリンタでは、搬送ローラでニップした状態でカラー感熱記録紙の往復動が行われる。サーマルヘッドは、搬送ローラに近い位置に配置されているが、搬送ローラとサーマルヘッドとの間の距離に相当する部分には、画像を記録することができない。また、サーマルヘッドは、プラテンローラとの間でカラー感熱記録紙をニップしているが、カラー感熱記録紙からはみ出ているサーマルヘッドの部分でプラテンローラを加熱すると、プラテンローラが熱変形したり、寿命が劣化したりする。そこで、カラー感熱記録紙の端部に余白を残し、その内側に画像を記録している。これらの理由からプリント済みのカラー感熱記録紙には、搬送方向に沿った画像記録エリアの前後端及び両側端には余白が形成される。
【０００３】
最近は余白のないプリントを望むユーザーが増えており、この要望に応じるため、前後端余白カッタと両側端余白カッタとを備えて画像記録エリアの全周の余白を切断するカッタ付きプリンタが提案されている（特許文献１）。このカッタ付きプリンタには、カッタの下方位置に、切断した切屑を収納する容器が設けられている。これにより、プリンタ内に切屑が散乱してしまうことを防止している。容器はプリンタに着脱自在に設けられており、切屑が溜まったときには容器をプリンタ本体から取り外して切屑が廃棄される。
【０００４】
また、ロール記録紙を用い、帯状に引き出した記録紙に画像を記録するプリンタも知られている（特許文献２）。この特許文献２記載のプリンタにも、画像記録後にシート状に切り離すためのカッタが設けられている。このカッタは、シート状に切り離す切断に加えて、前回シート状に切り離す切断を行った記録紙先端と今回記録した画像記録エリアの先端との間の前端余白を切断する。このため切断した余白を収納する容器が必要となる。
【０００５】
【特許文献１】
特開２００１−６３１６６号公報
【特許文献２】
特開２０００−３３５０２９号公報
【０００６】
【発明が解決しようとする課題】
ところで、前述したようなカッタ付きプリンタでは、一々容器を取り出して満杯か否かを確認する作業が面倒である。また、その作業を怠ると、容器が切屑で満杯になり、満杯になると切屑が溢れてプリンタ内に散らばり、これによってカッタの切断動作やプリンタの記録紙搬送動作などを妨げるおそれがある。また、容器やプリンタの内部に満杯を検知するセンサを設けるとコストが高く付く。
【０００７】
本発明は、上記課題を考慮してなされたもので、容器が満杯か否かを確認する作業を簡便に行えるように工夫したカッタ付きプリンタをローコストで提供することを目的とする。
【０００８】
【課題を解決するための手段】
上記目的を達成するために、本発明のカッタ付きプリンタでは、記録紙又は記録紙を収納するマガジンを装填するときに開閉する装填蓋と、カッタで切断した屑を受ける位置と一部が外部に露呈する位置との間で移動自在に設けた容器とを一体的に取り付けたものである。
【０００９】
【発明の実施の形態】
カッタ付きプリンタ１０は、図１ないし図２に示すように、直方体の上面を一段凹ました形状をしている。上面には装填蓋１１が、一段凹んだ面には排出口１２、排出トレイ１３、及び操作部１４などが配されている。操作部１４は、電源スイッチ、プリントボタン、及び余白有り無しの何れか一方を選択する選択ボタンなどで構成されている。プリンタ１０の正面には、図示していないスロットが配されている。スロットにはメモリカードなどの記録媒体がセットされる。
【００１０】
プリンタ１０の背面には、屑取り出し蓋１５が引き出し自在に設けられている。屑取り出し蓋１５には、カッタで切断しときに生じる切屑を収容する容器１６が一体的に取り付けられているとともに、装填蓋１１も一体的に取り付けられている。屑取り出し蓋１５と装填蓋１１とは、プリンタ１０の外面を構成する六面のうちの隣接する面にそれぞれ設けられており、互いの開き位置への引き出し方向が同じになっている。
【００１１】
屑取り出し蓋１５には、外面に取手１７が設けられている。取手１７に手を掛けて、マガジン１８を収納する装填室１９を露呈するように装填蓋１１を一方向に向けて引き出すと、屑取り出し蓋１５も一緒に引き出され、容器１６の一部が外部に露呈する。プリンタ１０は、記録媒体に書き込まれた画像データを読み出し、読み出した画像データを記録手段で記録紙に記録し、画像記録済みの記録紙をシート形態で排出口１２から排出トレイ１３の上に排出する。
【００１２】
プリンタ１０には、装填蓋１１を閉じ位置と開き位置とでクリック止めするクリック機構が設けられている。閉じ位置では装填室１９が塞がれかつ容器１６がプリンタ１０の内部に完全に収納される。開き位置では、装填室１９が完全に露呈されかつ容器１６の一部が露呈される。そして、図３に示すように、開き位置でのクリック止めを解除してさらに装填蓋１１を引き出すと、装填蓋１１とともに容器１６をプリンタ１０から完全に分離することができる。また、プリンタ１０の背面には、容器１６をプリンタの内部に出入りさせる開口２１が形成されている。開口２１は、屑取り出し蓋１５で塞がれる。
【００１３】
なお、装填蓋１１をバネ等の付勢手段で引き出し方向に向けて付勢し、その付勢に抗してロック機構で装填蓋１１を閉じ位置に保持する構成にしてもよい。この場合には、プリンタ１０の外部にロック解除ボタンを設け、そのボタンを操作することに連動して前記ロック機構のロックを解除するのが望ましい。このようにすれば、ボタン操作を行うだけで装填蓋１１が付勢手段の付勢により自動的に引き出されるので記録紙装填操作及び屑取り出し操作を簡便に行える。
【００１４】
プリンタ１０には、安全装置用のスイッチ２０が設けられている。装填蓋１１を閉じ位置に操作すると前記スイッチ２０がＯＮして閉じ位置が検知され、プリントの作動が許容される。また、閉じ位置以外ではスイッチ２０がＯＦＦしてプリントの作動が禁止される。
【００１５】
プリンタ１０の内部には、図４に示すように、装填室１９、プリント部２２、及び容器１６とが配されている。装填室１９には、マガジン１８が装填される。マガジン１８には、給紙口２３が設けられており、また、記録紙２４をロール状に巻回したロール記録紙２４ａが収納され、さらに、給紙ローラ２６を含む送り出し機構が内蔵されている。ロール記録紙２４ａは軸２４ｂに回転自在にセットされており、軸２４ｂはマガジン１８に着脱自在に支持されている。送り出し機構は、プリンタ１０の内部から伝達される駆動を利用して給紙ローラ２６を回転する。給紙ローラ２６は、ロール記録紙２４ａの外周に接して、ロール記録紙２４ａを送り出し方向に回転することで記録紙２４の先端を給紙口２３を通してプリント部２２の搬送路２７に向けて送り出し、また巻き取り方向に回転することでロール記録紙２４ａの外周に記録紙２４を巻き取る。
【００１６】
記録紙２４は、周知のように、支持体上にシアン感熱発色層，マゼンタ感熱発色層，イエロー感熱発色層が順次層設されている。最上層となるイエロー感熱発色層は熱感度が最も高く、小さな熱エネルギーでイエローに発色する。最下層となるシアン感熱発色層は熱感度が最も低く、大きな熱エネルギーでシアンに発色する。また、イエロー感熱発色層は、４２０ｎｍの近紫外線が照射されたときに、発色能力が消失する。マゼンタ感熱発色層は、イエロー感熱発色層とシアン感熱発色層との中間程度の熱エネルギーでマゼンタに発色し、３６５ｎｍの紫外線が照射されたときに発色能力が消失する。記録紙２に、例えばブラック感熱発色層を設けて４層構造にしてもよい。
【００１７】
プリント部２２は、搬送ローラ対３０、カッタ３１、分岐機構３２、サーマルヘッド３３、プラテンローラ３４，及び光定着器３５などで構成されている。
【００１８】
搬送ローラ対３０は、キャプスタンローラ３６と、このキャプスタンローラ３６の上方で回転自在とされたピンチローラ３７とを備えている。キャプスタンローラ３６は、記録紙２４の下方に配置されており、図示していないパルスモータ等の記録紙送りモータの駆動により正逆回転する。ピンチローラ３７は、キャプスタンローラ３６から離れた位置と圧接した位置との間で移動する。そして、搬送ローラ対３０は、位置センサ３８によって記録紙２４の先端を検出すると、ピンチローラ３７の圧接によって記録紙２４を挟み込み、キャプスタンローラ３６の回転によって記録紙２４を給紙側から排紙側へ向けた順方向と、排紙側から給紙側へ向けた逆方向とに交互に搬送する。なお、記録紙２４の往復搬送の間はマガジン１８に設けた給紙ローラ２６も正逆回転される。
【００１９】
ピンチローラ３７の回転軸にはエンコーダ３９が設けられている。エンコーダ３９は、ピンチローラ３７の回転数を検出して記録紙２４の搬送量を計測する。
【００２０】
カッタ３１は、搬送ローラ対３０とサーマルヘッド３３との間の搬送路２７の上に配され、画像記録後の記録紙２４の前・後端余白を切断する。カッタ３１の下には容器１６が配されている。容器１６は、落下する切屑や余白屑などを収納する。分岐機構３２は、カッタ３１とサーマルヘッド３３との間に配され、カッタ３１の作動に連動してガイド板４０を回転し、余白切断時には屑片を容器１６に落ちるようにガイドし、また、１枚のシートに切り離なした後には切り離された記録紙２４を搬送路２７から排出口１２に分岐する。
【００２１】
サーマルヘッド３３には、プラテンローラ３４が搬送路２７を挟んで対向する側に配置されている。サーマルヘッド３３には、多数の発熱素子をライン状に配列した発熱素子アレイ３３ａが設けられている。このサーマルヘッド３３は、支持軸３３ｂを支点にして、プラテンローラ３４に記録紙２４を押圧するプリント位置と、プラテンローラ３４から離れた退避位置との間で揺動する。
【００２２】
搬送路のうちの順方向送りの最下流側には、光定着器３５が配置されている。この光定着器３５は、発光ピークが４２０ｎｍの近紫外線を発生するイエロー用紫外線ランプ４１と、発光ピークが３６５ｎｍの紫外線を発生するマゼンタ用紫外線ランプ４２と、これらの背後を覆うリフレクタ４３とから構成されている。
【００２３】
カッタ３１は、記録紙２４を幅方向に沿って切断して、画像記録エリアの順方向送りの下流側余白（以下、「前端余白」という）と、画像記録エリアの順方向送りの上流側余白（以下、「後端余白」という）とを切り離す。
【００２４】
カッタ３１は、図５に示すように、円板刃４５、固定刃４６、刃物台４７、刃物台ガイド４８、及び刃物台待機位置検出器４９等から構成されている。固定刃４６は、薄板状に構成されており、その長手方向を記録紙２４の幅方向に沿わして固定され、薄板面の長辺上端部が刃先４６ａとされている。刃先４６ａは、搬送路２７よりも僅かに下がった位置にある。円板刃４５は、刃物台４７に回転自在に取り付けられており、固定刃４６の刃先４６ａに接触する。刃物台ガイド４８は、刃物台４７を記録紙２４の幅方向に移動自在に支持している。刃物台４７には、ベルト５０の一部が固定されている。
【００２５】
ベルト５０は、一対のプーリ５１，５２に掛けられている。一対のプーリ５１，５２は、記録紙２４の幅方向の両側に配置されている。一方のプーリ５２には、カッタモータ５３の駆動が伝達される。ベルト５０は、プーリ５２を介してカッタモータ５３により正逆回転される。これにより、刃物台４７が記録紙２４の幅方向で往復動する。刃物台待機位置検出器４９は、刃物台４７に設けた遮光板５４と、透過型の光電センサ５５とで構成されており、光電センサ５５により遮光板５４を検出することで刃物台４７が待機位置に戻った旨の信号を制御部５６に送る。刃物台４７の待機位置は記録紙２４の通過を許容する位置となっている。
【００２６】
制御部５６は、ピンチローラ３７の回転数をエンコーダ３９が計測することに基づいて記録紙２４のカット位置を特定し、記録紙２４の搬送を停止してからカットするように記録紙送りモータ５７とカッタモータ５３との駆動を個別に制御する。なお、符号７０，７１は、制御部５６の指令に基づいて記録紙送りモータ５７とカッタモータ５３とを駆動するドライバである。
【００２７】
分岐機構３２は、平面４０ｂを有するガイド板４０、ガイド板４０を回転自在に支持する支持部、及び刃物台４７の移動に連動してガイド板４０を回転させる連動機構５８などから構成されている。刃物台４７は、図６に示すように、待機位置を挟んでリターン位置と戻し位置との間で直線往復移動する。リターン位置は、待機位置から記録紙２４を幅方向に切断完了する位置である。戻し位置は、待機位置に対してリターン位置に向かう方向とは逆方向に設定されている。
【００２８】
連動機構５８は、刃物台４７が待機位置のときに、ガイド板４０を初期位置に保持している。ガイド板４０の初期位置は、平面４０ｂで記録紙２４を下方からガイドしながら記録紙２４の搬送路２７に向けての通過を許容する位置となっている。
【００２９】
刃物台４７が待機位置とリターン位置との間で移動するときには、図７に示すように、ガイド板４０を初期位置と軸４０ａを中心として下向きに回転させた下向き位置との間で回転する。下向き位置では、平面４０ｂの裏面が搬送路２７に対して略９０度下向きとなるため、円板刃４５で切断した屑片６０が容器１６に向って落ちるようにガイドされる。
【００３０】
刃物台４７が待機位置と戻し位置との間で移動するときには、図８に示すように、軸４０ａを中心としてガイド板４０が初期位置と上向き位置との間で回転する。上向き位置では、平面４０ｂが搬送路２７に露呈して、記録紙２４を搬送路２７から排出口１２に向けて分岐する。
【００３１】
次に上記実施形態の作用について図９を参照しながら説明する。プリンタ１０の初期状態は、サーマルヘッド３３がプラテンローラ３４から離れた退避位置にセットされ、また、搬送ローラ対３０のピンチローラ３７がキャプスタンローラ３６から離れた位置にセットされている。カッタ３１の刃物台４７は、待機位置にセットされており、これに連動してガイド板４０は初期位置に保たれている。
【００３２】
プリントを開始する前に、マガジン１８を装填する。装填するときには、取手１７に手を掛けて装填蓋１１を引き出す。これにより、装填室１９が露呈するから、装填室１９にロール記録紙２４ａをセットしたマガジン１８を装填する。このとき、装填蓋１１と一緒に屑取り出し蓋１５が引き出され、容器１６の一部が露呈する。これによって、容器１６の内部の屑片の量を目視により確認することができる。
【００３３】
操作部１４でカット選択スイッチで余白カットの可否を選択的に入力する。カット選択スイッチで余白カットを選択した後にプリントボタンを操作すると、まず、制御部５６は、記録紙送りモータ５７を駆動して給紙ローラ２６とキャプスタンローラ３６とを回転する。給紙ローラ２６の回転によりロール記録紙２４ａが送り出し方向に回転し、記録紙２４の先端がマガジン１８から送り出されて搬送ローラ対３０に向けて給紙される。
【００３４】
送り出された記録紙２４は、図４において記録面を下に向けた状態で送り出され、ピンチローラ３７とキャプスタンローラ３６との間に送り込まれる。そして、位置センサ３８により、記録紙２４の先端がピンチローラ３７とキャプスタンローラ３６との間を通過したことが検出されると、いったん記録紙送りモータ５７の駆動を停止して、ピンチローラ３７をキャプスタンローラ３６に圧接する位置に移動させ、ピンチローラ３７とキャプスタンローラ３６とで記録紙２４を挟み込む。その後に再び記録紙送りモータ５７が駆動され、キャプスタンローラ３６を回転させて記録紙２４を順方向に向けて搬送する。
【００３５】
この搬送中に、制御部５６はエンコーダ３９から得られる記録紙送り量を監視して、位置センサ３８で記録紙２４の先端が検知してから画像記録エリアの搬送方向に沿う長さ（以下、画像記録エリアの長手方向の長さ）に相当するパルス分だけ記録紙送りモータ５７の駆動を継続する。これにより、画像記録エリアの順方向送りの後端（以下、画像記録エリアの後端）がサーマルヘッド３３に位置する。
【００３６】
次にサーマルヘッド３３をプリント位置へ移動し、次に記録紙送りモータ５７を逆転駆動して記録紙２４を逆方向に向けて送りながらサーマルヘッド３３を駆動して記録紙２４の画像記録エリア内にイエロー画像を１ラインずつ熱記録する。
【００３７】
イエロー画像の熱記録が終了すると、サーマルヘッド３３が退避位置に移動され、その後に、画像記録エリアの長手方向の長さに相当するパルス分だけ記録紙送りモータ５７を正転駆動して画像記録エリアの後端がサーマルヘッド３３の位置に到達するまで記録紙２４を順方向に向けて戻し搬送する。この戻し搬送中に、光定着器３５のイエロー用紫外線ランプ４１が点灯し、熱記録済みのイエロー感熱発色層を光定着する。
【００３８】
戻し搬送が終了すると、再びサーマルヘッド３３をプリント位置に移動させ、記録紙２４を逆方向に向けて搬送し、この搬送中にサーマルヘッド３３によるマゼンタ画像の熱記録が行われる。
【００３９】
マゼンタ画像の熱記録が終了すると、同様にしてサーマルヘッド３３を退避位置に移動し、その後に画像記録エリアの長手方向の長さに相当するパルス分だけ記録紙送りモータ５７を逆転駆動して画像記録エリアの後端がサーマルヘッドの位置に到達するまで記録紙２４を順方向に向けて戻し搬送する。この戻し搬送中に、光定着器３５のマゼンタ用紫外線ランプ４２が点灯し、熱記録済みのマゼンタ感熱発色層を光定着する。
【００４０】
戻し搬送が終了すると、再びサーマルヘッド３３をプリント位置に移動させ、記録紙を逆方向に向けて搬送し、この搬送中にサーマルヘッド３３によるシアン画像の熱記録が行われる。
【００４１】
シアン画像の熱記録が終了すると、サーマルヘッド３３の位置に画像記録エリアの順方向に沿う先端（以下、画像記録エリアの先端）が合った状態となっている。このとき、画像記録エリア内には、３色面順次によってフルカラー画像が形成されている。そして、シアン画像の熱記録の終了後には、サーマルヘッド３３が退避位置に移動される。なお、シアン感熱発色層は通常の保管状態では発色しない熱感度を有しているので、光定着は行わない。
【００４２】
画像記録終了後には、画像記録エリアの先端をカッタ３１の切断位置に合わせる送り長さに相当するパルス分だけ記録紙送りモータ５７を駆動する。画像記録エリアの先端がカッタ３１の切断位置に到達すると、搬送を停止し、その後に、カッタモータ５３を駆動して刃物台４７を待機位置からリターン位置に向けて移動させる。これにより、記録紙２４の先端余白が切断される。また、刃物台４７の移動に連動して連動機構５８がガイド板４０を下向き位置に向けて回転させる。そして、刃物台４７がリターン位置に到達すると、カッタモータ５３の駆動が停止される。このとき、ガイド板４０が下向き位置に回転しているので、切断した屑片が容器１６の内部に確実に収納することができる。
【００４３】
前端余白を切断した後には、制御部５６がカッタモータ５３を逆転駆動して刃物台４７をリターン位置から待機位置を通過して戻し位置に戻す。そして、刃物台４７が戻し位置に到達した時点でカッタモータ５３の駆動を停止する。このとき、連動機構５８がガイド板４０を上向き位置に回転させる。
【００４４】
刃物台４７を戻し位置にセットした後には、制御部５６は、画像記録エリアの後端がカッタ３１の切断位置に合う位置まで記録紙送りモータ５７を駆動して記録紙２４を順方向に搬送する。このとき、ガイド板４０が上向き位置となっているので、記録紙２４は、ガイド板４０の傾斜した平面４０ｂに沿って上向きに分岐して排出口１２から外部に排出されていく。
【００４５】
記録紙送りモータ５７の駆動を停止すると、画像記録エリアの後端がカッタ３１の切断位置に合っている。その後、再びカッタモータ５３を一往復動分だけ駆動する。これにより、帯状記録紙２４から画像記録済みの記録紙２４が１枚のシート状に切り離される。切り離されたシートは、その大部分が排出口１２から露呈しているので、排出口１２から排出トレイ１３の上に載っかる。その後、記録紙送りモータ５７を逆転駆動して帯状記録紙２４の先端をマガジン１８の内部に巻き戻す。
【００４６】
なお、本実施例では、カッタを搬送路の端ではなく、搬送路の途中の搬送ローラ対３０とサーマルヘッド３３との間に配し、その隣に分岐機構を設けてプリント時に用いる搬送路とは別の通路を通して排紙するように構成しているため、カッタに手が触れることがなく安全である。
【００４７】
連続してプリントする場合には、帯状記録紙２４の先端をサーマルヘッド３３の位置で止め、前述と同じようにして次の画像を記録する。また、プリント作業を終了すると、帯状記録紙２４の先端がマガジン１８の内部に巻き戻されていることを確認してから、マガジン１８の給紙口２３を遮蔽する。これにより、カラー感熱記録紙２４の防湿が行える。
【００４８】
ロール記録紙２４ａの残量が少なくなると、その径を検知するセンサによりプリンタ１０の外部にその旨を表す表示が点灯する。その表示を視認してロール記録紙の交換が行われる。ロール記録紙２４ａの交換は、取手１７に手を掛けて装填蓋１１を引き出す。このとき、容器１６の一部が外部に露呈されるから、記録紙交換時に容器１６に溜まった切屑の残量を視認することができる。ここで、容器１６にまだ余裕がある場合には記録紙２４を交換したマガジン１８だけを装填室１９にセットして装填蓋１１を再び閉じ位置まで押し込んでセットする。切屑が一杯の場合には、装填蓋１１をプリンタ１０から完全に取り外して切屑を捨て再びセットすればよい。
【００４９】
プリント途中で装填蓋１１又は屑取り出し蓋１５を引き出すとスイッチ２０がＯＦＦし、その信号を制御部５６が受け取ると直ちにプリント動作を中断する。本実施形態では、装填蓋１１に屑取り出し蓋１５及び容器１６を一体に設けているから開き位置への操作を検知するスイッチが１個だけで済み、例えば別々に開閉される装填蓋１１と屑取り出し蓋１５又は容器１６とにそれぞれ設けるのと比べてコストダウンになる。
【００５０】
上記実施形態では、装填蓋１１、屑取り出し蓋１、及び容器１６とを一体に設けているが、別々に設けて一体的に取り付ける構成でもよい。これにより組立作業を省略でき、コストダウンになる。また、上記実施形態では、装填蓋１１を引き出すことで装填室１９を露呈する構成にしているが、装填蓋１１と一緒にマガジン１８を引き出す構成にしてもよい。
【００５１】
また、上記実施形態では、容器１６と装填蓋１１とを一体的に取り付けているが、代わりに、容器１６と装填蓋１１とを別々に設け、装填蓋１１の開き動作に連動して容器１６を一部が外部に露呈するように連動して移動させる構成にしてもよい。さらに、装填蓋１１を引き出し方式で構成しているが、装填蓋１１をヒンジにより回転式に開閉する構成にし、その開閉操作に連動して容器１６を出入りさせる構成としてもよい。
【００５２】
なお、上記実施形態では、記録紙２４ａを収納したマガジン１８を装填する場合を例にとって説明したが、この他に、マガジン１８を用いることなく、ロール状記録紙２４ａを直接にプリンタに装填する場合にも、本発明を適用することができる。
【００５３】
上記実施形態では、カラー感熱プリンタとしたが、この他に、銀塩式写真プリンタやそれに用いる印画紙の給紙マガジン、さらにはファクシミリなどに本発明を実施してもよい。
【００５４】
【発明の効果】
以上のように、本発明のカッタ付きプリンタでは、記録紙交換時に開閉される装填蓋と、切屑を収容する容器とを一体的に取り付けたから、装填蓋を開位置に操作すると容器が一緒に出てくるため、記録紙の交換又は記録紙を収納するマガジンを装填するときに、必ず容器に溜まった切屑の容量を視認することができる。このため、プリンタの動作に生じる不都合を未然に防止することができる。
【図面の簡単な説明】
【図１】本発明のプリンタの背面側の外観を示す斜視図である。
【図２】装填蓋を引き出した状態を示す斜視図である。
【図３】装填蓋を完全に取り外した状態を示す斜視図である。
【図４】プリンタの内部構造を概略的に示す説明図である。
【図５】カッタと分岐機構との概略を示す斜視図である。
【図６】刃物台が待機位置のときのガイド板の姿勢を示す斜視図である。
【図７】刃物台がリターン位置のときのガイド板の姿勢を示す斜視図である。
【図８】刃物台が戻し位置のときのガイド板の姿勢を示す斜視図である。
【図９】カッタの動作を示すフローチャート図である。
【符号の説明】
１０  プリンタ
１１  装填蓋
１６  容器
１７  取手
１８  マガジン
１９  装填室
３１  カッタ
４０  ガイド板
【図１】
2004338141.tif 000003
【図２】
2004338141.tif 000004
【図３】
2004338141.tif 000005
【図４】
2004338141.tif 000006
【図５】
2004338141.tif 000007
【図６】
2004338141.tif 000008
【図７】
2004338141.tif 000009
【図８】
2004338141.tif 000010
【図９】
2004338141.tif 000011